(57)【特許請求の範囲】
【請求項１】
駆動部と、この駆動部によって動作する施療部とを有し、この施療部が、可撓性を有する材質から成る基板と、この基板の表面に突出して設けられた複数の突起とで構成され、前記駆動部に、前記基板の周縁を前記駆動部に対する位置関係が固定された状態で着脱自在に保持する枠体を設けると共に、前記基板の面と交差する方向にこの基板を撓ませる往復駆動手段を設けたマッサージ装置において、
前記基板の表面に、前記突起よりも前記基板の表面からの突出長さが小さい壁状の小突起を環状に設け、
前記基板又は前記突起に、前記駆動部と施療部とで囲まれる領域の内外を連通する連通部を設け、前記連通部に連通して前記基板の撓みに応動するシャンプーの収容体を前記領域に設け、前記小突起の外側に第一の前記連通部を設けると共に、前記小突起の内側に第二の前記連通部を設けたことを特徴とするマッサージ装置。
【発明の詳細な説明】
【技術分野】
【０００１】
本発明は、動力駆動のマッサージ装置に関するものであり、特に、洗髪時等における頭皮のマッサージや揉み出し洗い等に使用することができるマッサージ装置に関するものである。
【背景技術】
【０００２】
従来、この種のマッサージ装置として、駆動部と、この駆動部によって動作する施療部とを有し、前記駆動部に、前記施療部の基板の周縁を前記駆動部に対する位置関係が固定された状態で着脱自在に保持する枠体を設けると共に、前記基板の面と交差する方向にこの基板を撓ませる往復駆動手段を設け、前記施療部が、可撓性を有する材質から成る前記基板と、この基板に突出して設けられた複数の突起とで構成されるものが知られている。そして、このマッサージ装置は、マッサージの際に、前記往復駆動手段によって前記施療部の基板を撓ませることで、この基板の撓みに伴って、この基板に設けられた複数の前記突起を繰り返し倒したり起こしたりさせることで相互に開閉させ、この相互に開閉する突起によって、揉んだり擦ったり叩いたりするように、頭皮を複雑にマッサージすることができるものである。これは、図６及び図７に示すように、駆動部１０１により駆動される施療部１０２における基板１０３が下に撓んだ湾曲凸状態と上に撓んだ湾曲凹状態との間で変形を繰り返す際、複数種類の突起１０４，１０５，１０６が、前記基板１０３の撓みに伴って動くことで、前記突起１０４，１０５，１０６によって頭皮Ｓを指先で行うようにマッサージすることができるというものである。
【特許文献１】特開２００７−２２９１５９号公報
【発明の開示】
【発明が解決しようとする課題】
【０００３】
しかしながら、洗髪或いは頭皮のマッサージを行う場合、髪や頭皮を洗浄するために、或いは髪を摩擦によって傷めることを防止するために、髪や頭皮に軽く泡立たせたシャンプーを塗った後、前記マッサージ装置を把持して前記施療部を頭皮に押し当てる必要があったので、前記マッサージ装置を使用するのに若干の手間が必要であった。また、シャンプーを手で泡立てる場合、手ではシャンプーを細かく泡立てることが困難であるため、髪や頭皮の洗浄効果が不十分であったり、髪の摩擦からの保護効果が不十分であったりする虞があった。更に、シャンプーを髪に塗ったままの滑りやすい手で前記マッサージ装置を持つと、このマッサージ装置を落として破損させてしまったり、最悪の場合使用者が怪我をしてしまったりする虞があった。なお、育毛剤等を使用してマッサージする場合も、同様の問題があった。
【０００４】
更に、適量のシャンプーや育毛剤等の液体を施療部の基板の表面に乗せ、シャンプーや育毛剤が乗った前記施療部を頭皮に押し当てて洗髪或いはマッサージを行うことも考えられるが、この場合、シャンプーや育毛剤が前記施療部から流れ落ちてしまい、前記駆動部に付着してしまう虞もあった。そして、このようにシャンプーや育毛剤が付着した前記駆動部を持つと、前記マッサージ装置を落として破損させてしまったり、最悪の場合使用者が怪我をしてしまったりする虞があった。
【０００５】
本発明は以上の問題点を解決し、手軽に、効果的に、且つ確実に、洗髪や頭皮等のマッサージを行うことができるマッサージ装置を提供することを目的とする。
【課題を解決するための手段】
【０００６】
請求項１の発明は、駆動部と、この駆動部によって動作する施療部とを有し、この施療部が、可撓性を有する材質から成る基板と、この基板の表面に突出して設けられた複数の突起とで構成され、前記駆動部に、前記基板の周縁を前記駆動部に対する位置関係が固定された状態で着脱自在に保持する枠体を設けると共に、前記基板の面と交差する方向にこの基板を撓ませる往復駆動手段を設けたマッサージ装置において、前記基板の表面に、前記突起よりも前記基板の表面からの突出長さが小さい壁状の小突起を環状に設け、前記基板又は前記突起に、前記駆動部と施療部とで囲まれる領域の内外を連通する連通部を設け、前記連通部に連通して前記基板の撓みに応動するシャンプーの収容体を前記領域に設け、前記小突起の外側に第一の前記連通部を設けると共に、前記小突起の内側に第二の前記連通部を設けたことを特徴とするマッサージ装置である。
【発明の効果】
【０００７】
請求項１の発明によれば、適量のシャンプーや育毛剤等の液体を施療部の基板の表面に乗せ、液体が乗った前記施療部を頭皮に押し当てて洗髪或いはマッサージを行う場合、環状に設けられた壁状の小突起の内側に液体を溜めておくことができるので、液体が前記駆動部に付着することを防止できる。従って、使用者によって把持された前記マッサージ装置を落下させる虞を減ずることができる。
【０００８】
また、請求項１の発明によれば、前記往復駆動手段によって前記施療部の基板が湾曲凹状態から湾曲凸状態に変形する際に、前記駆動部と施療部とで囲まれる領域が減圧状態となることで、前記環状小突起の内側に乗せられたシャンプーが前記第二連通部から吸引されて前記領域内に流入し、前記収容体に収容される。一方、前記施療部の基板が湾曲凸状態から湾曲凹状態に変形する際に、前記駆動部と施療部とで囲まれる領域が加圧状態となることで、前記収容体に収容されたシャンプーが前記第一及び第二連通部から押し出される。そして、前記各連通部を前記シャンプーが通過する際に、このシャンプーが泡立たされる。そして、この泡立たされたシャンプーが頭皮等に供給される。従って、使用者が泡立たせたシャンプーを髪や頭皮に塗りつけてから前記マッサージ装置を使用する必要がなく、手軽に泡立たせたシャンプーを髪や頭皮に供給して洗髪やマッサージを行うことができる。
【発明を実施するための最良の形態】
【０００９】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１０】
図１〜図５は実施例１を示している。なお、本例においては、図２の姿勢を基準として上下を規定する。１は本発明のマッサージ装置である。このマッサージ装置１は、駆動部としてのマッサージ装置本体２と、このマッサージ装置本体２の下部側に着脱自在に保持される施療部３とを有して構成されている。そして、この施療部３は、基板４と、この基板４の下面と交差する方向である下方側に突出して一体に設けられた３種類の突起５，６，７とで構成されている。また、前記基板４は、平面視で楕円状であって、可撓性及び弾性を有するエラストマーによって形成されている。そして、前記基板４の縁４Ａは、前記マッサージ装置本体２の下縁側に固定されている。なお、ここで言う「固定」とは、多少の動きを許容して接続される状態を含むものであり、本実施例では、前記基板４の縁４Ａを前記マッサージ装置本体２の下面に沿って形成した溝よりなる固定用の枠体８に嵌合させることで、両者を全周に亘って着脱自在に接続している。
【００１１】
前記マッサージ装置本体２は、底面側が開口すると共に片手で把握可能な大きさを有するケース本体２Ａと、このケース本体２Ａの開口した底面側を閉塞する底面部２Ｂとを有して構成されており、この底面部２Ｂは、底板９と覆い体１１とを有する。そして、前記底板９は、平面視で楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としてのモータ１３と、このモータ１３のモータ軸１３Ａに減速歯車機構１４を介して接続されるクランク機構１５と、このクランク機構１５の偏心軸１５Ａに対して一側が連結されるコンロッド１６を備えている。なお、前記覆い体１１のほぼ中央には、接続中継部材１７が一体的に取り付けられている。この接続中継部材１７は、その上面側と前記コンロッド１６の他側とで前記覆い体１１を挟持して固定すると共に、その下面側にフック１７Ａが設けられており、このフック１７Ａに前記基板４中央の上面に設けられたフック受け部４Ｂが着脱自在に接続されている。従って、前記接続中継部材１７は、前記モータ１３の回転運動が前記クランク機構１５とコンロッド１６とで往復運動に変換されることで、上下方向に往復運動するようになっている。これにより、前記フック受け部４Ｂが設けられた位置が、前記基板４における最大振幅部となり、その振幅は、前記クランク機構１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記マッサージ装置本体２の内部には、前記モータ１３に電力を供給するための電池１８が設けられていると共に、前記マッサージ装置本体２の上面側表面には、前記モータ１３を操作するためのスイッチ１９が設けられている。
【００１２】
前記施療部３について詳述する。前記第一〜三の突起５，６，７は、それぞれ先細で且つ先端が丸められた裁頭円錐形状である。そして、これらの突起５，６，７は、前記基板４のほぼ中央を上下に通る仮想的な前記中心軸線Ｘを中心として、前記基板４の縁４Ａに沿って配置される楕円状の仮想外側輪Ｏと、その内側に配置される楕円状の仮想中間輪Ｍと、その内側に配置される円状の仮想内側輪Ｉに沿ってそれぞれ設けられている。
【００１３】
更に、前記基板４に、前記マッサージ装置本体２と施療部３とで囲まれる領域の内外を連通する小貫通孔状の第一連通部２１及び第二連通部２２を設けると共に、前記連通部２１，２２に連通して前記基板４の撓みに応動するシャンプーＬの収容体２６を前記領域に設ける。すなわち、前記底面部２Ｂと基板４の内面との間に、シャンプーＬの収容体２６を設けるものである。前記第一連通部２１は、仮想内側輪Ｉよりも外側に設けられている。更に、第二連通部２２は、仮想内側輪Ｉの内側に設けられた中心軸線Ｘを中心とした円形な仮想中心輪Ｍに沿って間隔をおいて環状に配置されている。
【００１４】
そして、前記仮想内側輪Ｉ上には、前記第三突起７同士を接続するように、小突起２７が環状に設けられている。この小突起２７は、前記第二連通部２２を囲繞するように壁状に配置されたものであり、その前記基板４の表面４Ｓからの高さ方向の長さＨ４は、前記小突起２７によって接続される前記第三突起７の高さ方向の長さＨ３より小さくなっている。そして、環状の前記小突起２７によって、この小突起２７の内側が他の部分から区画される。なお、前記第一，第二突起５，６の高さ方向の長さをＨ１，Ｈ２としたとき、それぞれの長さはＨ１＞Ｈ２＞Ｈ３＞Ｈ４になっている。
【００１５】
また、前記収容体２６は、前記基板４の撓みに応動して圧縮及び復元を繰り返すことで、前記シャンプーＬを前記各連通部２１，２２から吸引したり吐出したりさせるようになっている。なお、前記収容体２６は、実施例では弾性体である連続気泡型の発泡ポリウレタンや発泡ゴム等から成る合成スポンジ或いは海綿（天然スポンジ）等によって形成されており、図２に示すように、前記基板４が下に撓んだ湾曲凸状態のときに、前記収容体２６はほぼ非圧縮状態或いはやや圧縮状態となって、前記底面部２Ｂと基板４の上面との間に介在している。即ち、前記基板４が下に撓んだ湾曲凸状態のときに、前記収容体２６の上面２６Ａは前記底面部２Ｂに接するか或いは近接し、前記収容体２６の下面２６Ｂは前記基板４の上面に接するか或いは近接し、更に前記収容体２６の外周２６Ｃは前記枠体８に接するか或いは近接している。一方、前記収容体２６における中心部、すなわち中心軸線Ｘに沿って貫通孔２６Ｄが形成されている。この貫通孔２６Ｄを通して、前記フック受け部４Ｂと前記フック１７Ａが接続できるように形成されている。
【００１６】
次に、前記構成について、その作用を説明する。頭皮Ｓのマッサージを行ったり揉み出し洗いを行ったりする場合、まず使用者は、予め前記収容体２６に適量の水を含ませておく。なお、水は前記マッサージ装置１を水に浸けることで、前記各連通部２１，２２を介して前記収容体２６に吸収される。そして、前記基板４の表面４Ｓを上向きとし、前記小突起２７の内側に適量のシャンプーＬを乗せる。この際、前記基板４上で且つ前記小突起２７の内側に乗せられた前記シャンプーＬは、過剰に乗せない限り、前記小突起２７より外側に流れ出すことはない。そして、少量のシャンプーＬは、前記第二連通部２２から前記収容体２６側に染み込む。
【００１７】
次に、前記スイッチ１９を操作すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク機構１５が回転し、このクランク機構１５及びこのクランク機構１５の偏心軸１５Ａに連結された前記コンロッド１６によって、前記モータ軸１３Ａの回転運動が往復運動に変換され、前記コンロッド１６に連結された前記接続中継部材１７が上下に往復動する。そして、前記基板４は、前記接続中継部材１７に接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク機構１５の中心軸から偏心軸１５Ａまでの偏心距離Ｆの２倍（２Ｆ）となる。
【００１８】
このように、前記基板４が下に撓んだ湾曲凸状態と上に撓んだ湾曲凹状態との間で変形を繰り返すことで、前記基板４と底面部２Ｂの間の空間が圧縮、復元を繰り返すことになり、この結果、前記収容体２６は前記基板４の撓みに応動して圧縮、復元を繰り返す。そして、前記収容体２６が圧縮状態から復元する際に、前記基板４と底面部２Ｂの間の空間が減圧状態となることで、前記環状小突起２７の内側に乗せられた前記シャンプーＬが前記第二連通部２２から吸引されて前記空間内に流入し、前記収容体２６に収容される。逆に、前記収容体２６が圧縮される際に、この収容体２６に収容された前記シャンプーＬは、前記第二連通部２２より噴出されることとなる。なお、前記シャンプーＬは、前記第二連通部２２を通して押し出される際に空気と混じり合うことで泡立つ。そして、このように前記収容体２６の変形が繰り返されることで、前記シャンプーＬが徐々に前記収容体２６の中央から外周側に広がってゆき、これによって、前記第一連通部２１からも、泡立てられた前記シャンプーＬが押し出されることになる。このように、湾曲凸状態と湾曲凹状態との間で繰り返される前記基板４の変形に応動して前記収容体２６が圧縮、復元を繰り返すことで、前記小突起２７の内側に乗せられた前記シャンプーＬは、泡立てられて、前記施療部３全体から外部に供給される。なお、前記シャンプーＬは、前記連通部２１，２２を通過する際に細かく泡立てられることになる。そして、前記シャンプーＬは、前記連通部２１，２２の孔の径が小さい程、細かく泡立てられることになる。
【００１９】
このように、前記シャンプーＬが泡立てられた状態で、使用者は、前記マッサージ装置本体２を把持し、前記突起５，６，７の先端部を前記頭皮Ｓに押し当てて手で保持する。これにより、主として前記第一突起５は、前記中心軸線Ｘを中心としてその内側方向に傾斜したり、或いはその後起立したりすることを繰り返すことで、前記頭皮Ｓを揉むようにしてマッサージを行うことができる。また、前記第二突起６は、前記第一突起５よりも短いため、前記中心軸線Ｘを中心としてその内側方向に傾斜したり、或いはその後起立したりすることを繰り返すことで、前記頭皮Ｓに対して先端が擦るようにしてマッサージを行うことができる。また、前記第三突起７は、前記基板４の撓みによって、前記頭皮Ｓに対して当接と離間を繰り返すことで、前記頭皮Ｓを軽く叩くようにしてマッサージを行うことができる。このように、前記突起５，６，７を用いてマッサージを行うと同時に、細かく泡立てられた前記シャンプーＬを用いて、前記頭皮Ｓや髪（図示せず）が洗浄される。この際、使用者が掌を用いて泡立てた場合よりも細かく泡立てられた前記シャンプーＬを用いて洗髪やマッサージを行うことができるので、髪や頭皮Ｓを効果的に洗浄することができるばかりでなく、エラストマー等の摩擦係数の比較的大きな材質から構成される前記施療部３との摩擦から髪を確実に保護することができる。
【００２０】
そして、本願発明のマッサージ装置１を用いて髪の洗浄や頭皮Ｓのマッサージを行う場合、使用者が掌を用いて前記シャンプーＬを泡立てる必要がなく、前記マッサージ装置１を作動させることで、前記小突起２７の内側に乗せた前記シャンプーＬが、前記収容体２６に染み込んだ後、前記連通部２１，２２を通過して押し出される際に細かく泡立てられるので、手軽に洗髪やマッサージを行うことができるばかりでなく、摩擦を低下させる前記シャンプーＬの泡が前記マッサージ装置本体２を把持する手に付着しないので、前記マッサージ装置１を滑らせて落とす虞を減ずることができる。
【００２１】
以上のように、前記実施例おいては、可撓性を有する基板４とこの基板４の面と交差するように基板４に設けられた複数の突起５〜７から成る施療部３を、駆動部としてのマッサージ装置本体２の枠体８及び前記マッサージ装置本体２内の往復駆動手段１２に、前記マッサージ装置本体２に対する位置関係が固定された状態で着脱自在に保持させ、前記往復駆動手段１２によって前記基板４をその表面４Ｓと交差する方向に繰り返し撓ませることで、前記各突起５〜７によって頭皮Ｓ等を洗浄又はマッサージするマッサージ装置１であって、前記基板４の表面４Ｓに、前記第三突起７の前記表面４Ｓからの突出長さＨ３よりも突出長さＨ４が小さい小突起２７を環状に設けたことで、表面４Ｓを上向きとして前記小突起２７の内側にシャンプーＬを乗せることで、前記シャンプーＬが前記施療部３から流れ落ちて、前記マッサージ装置本体２に付着して手が滑りやすくなったりすることはない。
【００２２】
また、前記基板４に、前記駆動部としてのマッサージ装置本体２と施療部３とで囲まれる領域の内外を連通する第二連通部２２を設けると共に、前記第二連通部２２に連通して、前記基板４の撓みに応動する前記シャンプーＬの収容体２６を前記領域に設けることで、前記マッサージ装置１を作動させて前記小突起２７の内側から前記第二連通部２２を通して前記収容体２６に染み込ませた前記シャンプーＬを前記連通部２１，２２から押し出して泡立たせることができるので、手軽に洗髪やマッサージを行うことができるばかりでなく、前記マッサージ装置本体２を把持する使用者の手に前記シャンプーＬが付着しないので、前記マッサージ装置１を滑らせて落下させてしまう虞を減ずることができるものである。
【００２３】
なお、本発明のマッサージ装置は、以上の実施例に限定されるものではなく、発明の要旨の範囲内で種々の変形実施が可能である。例えば、上記実施例では、施療部の基板にのみ連通部を形成したが、施療部の突起にも連通部を設けてもよい。また、上記実施形態では、第三突起同士を接続するように前記小突起を設けたが、他の突起同士を接続するように前記小突起を設けても良く、また、第一〜第三突起とは独立して小突起を設けても良い。
【図面の簡単な説明】
【００２４】
【図１】本発明の実施例１を示す斜視図である。
【図２】本発明の実施例１を示す断面図である。
【図３】本発明の実施例１を示す施療部の斜視図である。
【図４】本発明の実施例１を示す施療部の断面図である。
【図５】本発明の実施例１を示す施療部の底面図である。
【図６】従来例を示す湾曲凸状態の基板まわりの断面図である。
【図７】従来例を示す湾曲凹状態の基板まわりの断面図である。
【符号の説明】
【００２５】
１  マッサージ装置
２  マッサージ装置本体（駆動部）
３  施療部
４  基板
４Ａ  縁
４Ｓ  表面
５  第一突起（突起）
６  第二突起（突起）
７  第三突起（突起）
８  枠体
１２  往復駆動手段
２１  第一連通部（連通部）
２２  第二連通部（連通部）
２６  収容体
２７  小突起
Ｌ  シャンプー
【図１】
0004573219.tif 000002
【図２】
0004573219.tif 000003
【図３】
0004573219.tif 000004
【図４】
0004573219.tif 000005
【図５】
0004573219.tif 000006
【図６】
0004573219.tif 000007
【図７】
0004573219.tif 000008